(57)【特許請求の範囲】
【請求項１】
符号分割多元接続・時分割多重方式の移動通信システムにおいて上り回線通信に使用されるタイムスロットに割当てられた移動機の通信に対する基地局での干渉量に基づいて移動機の上記タイムスロットでの送信電力を制御する送信電力制御方法において、
上記タイムスロットに割当てることが決められた他の移動機による当該タイムスロットでの通信の多重度が変化したときに、その変化分に基づいて補正情報を生成し、
上記干渉量と上記補正情報とに基づいて上記タイムスロットでの上記移動機の送信電力を制御する送信電力制御方法。
【請求項２】
請求項１記載の送信電力制御方法において、
上記基地局での干渉量を上記補正情報を用いて補正して、補正済み干渉量を生成し、
該補正済み干渉量を基地局から移動機に通知し、
移動機が上記通知された補正済み干渉量に基づいて上記タイムスロットでの送信電力の制御を行う送信電力制御方法。
【請求項３】
請求項１または２記載の送信電力制御方法において、
上記基地局と接続され、移動機からの要求に基づいて当該移動機のタイムスロットへの割当てを行なう無線制御装置が上記補正情報を生成する送信電力制御方法。
【請求項４】
請求項２記載の送信電力制御方法において、
上記基地局と接続され、移動機からの要求に基づいて当該移動機のタイムスロットへの割当てを行なう無線制御装置が上記補正情報を生成すると共に、該補正情報を用いて上記基地局での干渉量を補正して補正済み干渉量を生成する送信電力制御方法。
【請求項５】
符号分割多元接続・時分割多重方式の移動通信システムにおいて上り回線通信に使用されるタイムスロットに割当てられた移動機の送信電力を制御するために用いられるべき制御情報を生成する制御装置において、
上記タイムスロットに割当てることが決められた他の移動機による上当該タイムスロットでの通信の多重度が変化したときに、その変化分に基づいて補正情報を生成する補正情報生成手段を有し、
上記移動機の通信に対する基地局での干渉量と共に、上記補正情報が上記タイムスロットでの上記移動機の送信電力を制御するために用いられるようにした制御装置。
【請求項６】
請求項５記載の制御装置において、
上記移動機の通信に対する基地局での干渉量を上記補正情報を用いて補正して補正済み干渉量を生成する補正済み干渉量生成手段を有し、
上記補正済み干渉量を上記タイムスロットでの上記移動機の送信電力を制御するために用いられるようにした制御装置。
【発明の詳細な説明】
【０００１】
【発明の属する技術分野】
本発明は、送信電力制御方法及び制御装置係り、詳しくは、符号分割多元接続・時分割多重（CDMA・TDD）方式の移動通信システムにおける移動機の送信電力を制御する送信電力制御方法及びその送信電力制御方法に適用される制御装置に関する。
【０００２】
【従来の技術】
符号分割多元接続・時分割多重（CDMA・TDD）方式の移動通信システムにおける移動機の送信電力の制御は、従来、例えば、図６に示すようになされる。
【０００３】
図６は、複数のタイムスロット#0、#1、#2、…に分割された各無線フレームＦ#0、Ｆ#1、Ｆ#2、…において上り回線通信に使用されるタイムスロット#1に割当てられた移動機UEの送信電力Pの制御状態と、当該移動機UEの通信に対する基地局での干渉量ＩBTSの状態を示す。
【０００４】
無線フレームＦ#0のタイムスロット#1において移動機UEの送信電力がＰ0に制御され、移動機UEから基地局に対する上り回線通信が所定の拡散符号（拡散コード）を用いてなされる。この際に、基地局は、当該移動機UEの通信に対する干渉量ＩBTS1を測定する。その後、他の移動機からの要求に対して、例えば、タイムスロット#1に当該他の移動機を割当てることが決定される（ユーザ割当て多重度の増大）。
【０００５】
そして、所定のタイミングｔ1において上記のように測定された干渉量ＩBTS1が基地局から移動機UEに所定の制御チャネルにて通知される。この時点で、上記のようにタイムスロット#1に割当てが決定された他の移動機は実際に通信を行っていないので、この移動機UEに通知された干渉量ＩBTS1には、当該他の移動機の通信の影響は考慮されていない。
【０００６】
移動機UEは、前述したように報知された干渉量ＩBTS1と、当該移動機UEにて算出された伝搬損失Ｌに基づいて送信電力の値を決定する。そして、次の無線フレームＦ#1のタイムスロット#1において当該移動機UEの送信電力がその決定された値Ｐ1に制御され、移動機UEから基地局に対する上り回線通信がなされる。この無線フレームＦ#1のタイムスロット#1では、上述したように当該タイムスロット#1への割当てが決定された上記他の移動機も基地局に対する通信を開始し、このタイムスロット#1における他の移動機による通信の多重度が増加する。その結果、このタイムスロット#1における当該移動機UEの通信に対する実際の干渉量は、上記のように測定された干渉量ＩBTS1より大きくなる。
【０００７】
上記無線フレームＦ#1のタイムスロット#1において移動機UEから基地局に対する上り回線通信に際して、基地局は、その移動機UEの通信に対する干渉量ＩBTS2を測定する。その後、所定のタイミングｔ2において上記のように測定された干渉量ＩBTS2が基地局から移動機UEに所定の制御チャネルにて通知される。この時点で、上記のようにタイムスロット#1に割当てられた他の移動機は所定の拡散符号を用いて通信を行っているので、この測定された干渉量ＩBST2には、当該他の移動機の上記所定の拡散符号を用いた通信の影響が考慮されている。
【０００８】
移動機UEは、前述したのと同様に、上記干渉量ＩBTS2と、当該移動機UEにて算出された伝搬損失Ｌに基づいて送信電力の値を決定する。そして、次の無線フレームＦ#2のタイムスロット#1において当該移動機UEの送信電力がその決定された値Ｐ2に制御され、移動機UEから基地局に対する上り回線通信がなされる。上記無線フレームＦ#2のタイムスロット#1において制御される移動機UEの送信電力の値Ｐ2は、当該タイムスロット#1に割当てられた上記他の移動機の通信を加味した干渉量ＩBTS2に基づいて決定されるので、前の無線フレームＦ#1のタイムスロット#1において制御された送信電力の値Ｐ1より大きくなる。
【０００９】
これにより、移動機UEの送信電力が基地局での干渉量に応じて制御されることになり、移動通信システムにおける上り回線通信の品質を安定させることができるようになる。
【００１０】
【発明が解決しようとする課題】
しかし、前述したように、移動機UEが使用するタイムスロット#1に他の移動機の割当てが決定された直後の無線フレームのタイムスロット#1における当該移動機UEの送信電力は、そのタイムスロット#1で上記他の移動機の通信が実際に開始されている、即ち、そのタイムスロット#1での他の移動機による通信の多重度が増加したにもかかわらず、その通信の多重度の増加が考慮されずに測定された干渉量ＩBTSに基づいて決定される。そのため、上記他の移動機の割り当てが決定された直後において当該移動機UEによる上り回線通信の品質が一時的に劣化する。
【００１１】
また、図５において、上記のように移動機UEが無線フレームＦ#2のタイムスロット#1で通信を行なう際にその通信に対する干渉量ＩBTS３が基地局にて測定された後に、次の無線フレームＦ#3（図示略）におけるタイムスロット#1に割当てられる他の移動機の数が減少し、他の移動機による通信の多重度が減少した場合、当該次の無線フレームＦ#3のタイムスロット#1での当該移動機UEの通信に対する実際の干渉量は、タイムスロット#1に割当てられた他の移動機の数が減少している分、上記測定された干渉量ＩBTS3より少なくなる。それにも係わらず、当該移動機UEは、上記のように測定された干渉量ＩBTS3に基づいて送信電力制御を行う。このため、無線フレームＦ#3のタイムスロット#1に割当てられた他の移動機の上り回線通信に対して上記のように送信電力制御がなされる移動機UEの通信がより大きな干渉として作用してしまう。
【００１２】
また、上記のように移動機UEがあるタイムスロットで通信を行なう場合に、そのタイムスロットに割当てられる他の移動機の数は変化しなくても、他の移動機からの要求に応じて当該他の移動機の通信に使用される拡散符号の数が変化（増加、減少）することにより当該他の移動機による通信の多重度が変化した場合にも、上述した状況と同様の状況となりうる。
【００１３】
そこで、本発明の第一の課題は、移動機が使用するタイムスロットに割当てることが決められた他の移動機による当該タイムスロットでの通信の多重度が変化した場合に、当該移動機の上り回線通信における送信電力制御をより的確にできるようにした送信電力制御方法を提供することである。
【００１４】
また、本発明の第二の課題は、そのような送信電力制御方法に用いられる制御装置を提供することである。
【００１５】
【課題を解決するための手段】
上記第一の課題を解決するため、本発明は、請求項１に記載されるように、符号分割多元接続・時分割多重方式の移動通信システムにおいて上り回線通信に使用されるタイムスロットに割当てられた移動機の通信に対する基地局での干渉量に基づいて移動機の上記タイムスロットでの送信電力を制御する送信電力制御方法において、上記タイムスロットに割当てることが決められた他の移動機による当該タイムスロットでの通信の多重度が変化したときに、その変化分に基づいて補正情報を生成し、上記干渉量と上記補正情報とに基づいて上記タイムスロットでの移動機の送信電力を制御するように構成される。
【００１６】
このような送信電力制御方法では、移動機が使用するタイムスロットに割当てられることが決められた他の移動機による当該タイムスロットでの通信の多重度が変化したときに、その変化分に基づいて生成される補正情報と基地局での干渉量に基づいて移動機の上記タイムスロットでの送信電力が制御される。
【００１７】
上記他の移動機による当該タイムスロットでの通信の多重度は、上記他の移動機による当該タイムスロットでの通信に使用される拡散符号の総数に対応する。特に、上記他の移動機のそれぞれが単一の拡散符号を用いて通信を行う場合、その多重度は、当該他の移動機の数に対応する。
【００１８】
当該移動機が使用するタイムスロットに割当てることが決められた他の移動機による当該タイムスロットでの通信の多重度の変化分から当該移動機の通信に影響を与える干渉量の変動分を推定することができる。従って、上記補正情報は、当該移動機の通信に影響を与える干渉量の変動分の推定値を表すことができる。
【００１９】
上記補正情報の表現形式は、特に限定されず、例えば、推定される干渉量に換算したものであっても、他の移動機による通信の多重度の変化量（他の移動機の数の変化分、他の移動機の通信に使用される拡散符号の総数の変化分、他の移動機の通信に使用される伝送レートなど）を表すものであってもよい。
【００２０】
上記補正情報は、基地局での干渉量と別個に移動機に通知しても、該補正情報と上記干渉量とを統一的な情報に変換した後に、移動機に通知してもよい。移動機での処理負担を軽減する観点から、後者の方が好ましい。
【００２１】
上記後者の場合、本発明は、請求項２に記載されるように、上記送信電力制御方法において、上記基地局での干渉量を上記補正情報を用いて補正して、補正済み干渉量を生成し、該補正済み干渉量を基地局から移動機に通知し、移動機が上記通知された補正済み干渉量に基づいて上記タイムスロットでの送信電力の制御を行うように構成することができる。
【００２２】
また、本発明は、請求項３に記載されるように、上記各送信電力制御方法において、上記基地局と接続され、移動機からの要求に基づいて当該移動機のタイムスロットへの割当てを行なう無線制御装置が上記補正情報を生成するように構成することができる。
【００２３】
このような送信電力制御方法では、移動機のタイムスロットへの割当てを行なう無線制御装置は、送信電力制御を行うべき移動機が割当てられたタイムスロットに割当てられることが決められた他の移動機による通信の多重度の変化が容易に判るので、当該タイムスロットに割当てることが決められた他の移動機による当該タイムスロットでの通信の多重度の変化に基づいた補正情報を効率的に生成することができるようになる。
【００２４】
また、本発明は、請求項４に記載されるように、上記送信電力制御方法において、上記基地局と接続され、移動機からの要求に基づいて当該移動機のタイムスロットへの割当てを行なう無線制御装置が上記補正情報を生成すると共に、該補正情報を用いて上記基地局での干渉量を補正して補正済み干渉量を生成するように構成することができる。
【００２５】
上記第二の課題を解決するため、本発明は、請求項５に記載されるように、符号分割多元接続・時分割多重方式の移動通信システムにおいて上り回線通信に使用されるタイムスロットに割当てられた移動機の送信電力を制御するために用いられるべき制御情報を生成する制御装置において、上記タイムスロットに割当てることが決められた他の移動機による当該タイムスロットでの通信の多重度が変化したときに、その変化分に基づいて補正情報を生成する補正情報生成手段を有し、上記移動機の通信に対する基地局での干渉量と共に、上記補正情報が上記タイムスロットでの移動機の送信電力を制御するために用いられるよう構成される。
【００２６】
このような制御装置は、移動機が使用するタイムスロットに対して他の移動機の割当てが決定され、そのタイムスロットに割当てられることが決定された他の移動機による当該タイムスロットでの通信の多重度が変化したときに、その変化分に対応した補正情報を生成する。そして、その補正情報が基地局での干渉量と共に当該移動機での送信電力の制御に用いられるようになる。
【００２７】
移動機の電力制御をより容易にすることができるとう観点から、本発明は、請求項６に記載されるように、上記制御装置において、上記移動機の通信に対する基地局での干渉量を上記補正情報を用いて補正して補正済み干渉量を生成する補正済み干渉量生成手段を有し、上記補正済み干渉量を上記タイムスロットでの移動機の送信電力を制御するために用いられるように構成できる。
【００２８】
【発明の実施の形態】
以下、本発明の実施の形態を図面に基づいて説明する。
【００２９】
本発明の実施の一形態に係る送信電力制御が適用される移動通信システムの構成例が図１に示される。この移動通信システムは、符号分割多元接続・時分割多重（CDMA・TDD）方式の通信システムであり、複数のタイムスロットに分割された各無線フレームが上り回線及び下り回線に使用される。そして、上り回線通信に使用される各タイムスロットにおいて複数の移動機の通信を多重化することができる。
【００３０】
図１において、基地局（BTS）１００が無線制御装置（RNC）１２０を介してネットワーク１４０に接続されている。移動機（UE）２００は、基地局１００と無線通信を行ない、この基地局１００、無線制御装置１２０及びネットワーク１４０を介して他の通信端末と情報（音声、データ）通信を行なう。
【００３１】
移動機２００は、例えば、図２に示すように構成される。
【００３２】
図２において、移動機２００は、送受信無線部２０１、信号処理部２０２及び制御部２０３を有する。送受信無線部２０１は基地局１００と無線通信を行なう。信号処理部２０２は、受信信号に対して所定の処理（例えば、復調処理、復号処理等）を施す。その処理により得られた情報は、ユーザインタフェース（図示略）によりユーザに提示（音声出力、データ表示等）される。また、信号処理部２０２は、ユーザインタフェース（操作部、マイク等）を介して入力された情報に所定の処理（例えば、符号化処理、変調処理等）を施し、その処理により得られた情報を送受信無線部２０１に供給する。送受信無線部２０１は、信号処理部２０２から供給される情報を基地局１００に無線送信する。
【００３３】
制御部２０３は、信号処理部２０２を制御すると共に送受信無線部２０１の制御を行う。制御部２０３は、基地局１００から報知チャネルにて通知される当該移動機２００に割当てられたタイムスロットの情報に基づいて送受信無線部２０１での送信タイミング制御を行う。また、制御部２０３は、送受信無線部２０１にて受信された後述するような補正済み干渉量（ＩBTS＋β）を信号処理部２０２を介して取得する。制御部２０３は、例えば、基地局１００から送信されるパイロット信号の受信レベル等に基づいて伝搬損失Ｌを演算し、上記補正済み干渉量（ＩBTS＋β）及び伝搬損失Ｌに基づいて送信電力制御情報を生成する。このように生成された送信電力制御情報に基づいて制御部２０３は、送受信無線部２０１での送信電力を制御する。
【００３４】
基地局１００は、例えば、図３に示すように構成される。
【００３５】
図３において、基地局１００は、送受信無線部１１０、変復調処理部１１３及び制御部１１４を有する。送受信無線部１１０は、送信増幅器１１０及び受信増幅器１１２を有する。送受信無線部１１０は、上記移動機２００と無線通信を行なう。送受信無線部１１０が移動機２００からの信号を受信すると、その受信信号が受信増幅器１１２にて増幅され、変復調処理部１１３に供給される。変復調処理部１１３は、入力された受信信号に対して復調処理等を施し、その処理により得られた信号を無線制御装置１２０に転送する。このように無線制御装置１２０に転送された信号は、更に、ネットワーク１４０を介して他の通信端末に転送される。
【００３６】
また、ネットワーク１４０を介して無線制御装置１２０に転送される他の通信端末からの信号が無線制御装置１２０から基地局１００の変復調処理部１１３に供給される。変復調処理部１１３は、無線制御装置１２０から供給される信号に対して変調処理等を施し、その処理により得られた信号を送信増幅器１１１に供給する。そして、その信号は、送信増幅器１１１にて増幅され、送受信無線１１０から移動機２００に送信される。
【００３７】
制御部１１４は、変復調処理部１１３の制御を行うと共に、送受信無線部１１０及びその送信増幅器１１１及び受信増幅器１１２の制御を行う。制御部１１４は、後述するように無線制御装置１２０にて割当てられた移動機２００に対する通信（下り回線通信）に使用すべきタイムスロットに基づいて送受信無線部１１０における送信タイミング制御を行う。
【００３８】
また、制御部１１４は、変復調処理部１１３にて得られる受信波に対応した復調信号に基づいて通信相手となる移動機２００の通信に対する干渉量ＩBTSを演算する。そして、制御部１１４は、演算した干渉量ＩBTSを無線制御装置１２０に供給する。更に、後述するように無線制御装置１２０から補正済み干渉量（ＩBTS＋β）を取得すると、制御部１１４は、その補正済み干渉量（ＩBTS＋β）を送受信無線部１１０に供給する。その補正済み干渉量（ＩBTS＋β）は、送受信無線部１１０から所定の制御チャネルにて移動機２００に通知される。
【００３９】
上記無線制御装置１２０は、例えば、図４に示すように構成される。
【００４０】
この無線制御装置１２０は、DCA（Dynamic Channel Allocation）管理部１２１及び制御部１２４を有する。また、DCA管理部１２１は、チャネル管理部１２２及びDCA制御部１２３を有する。DCA管理部１２１では、DCA制御部１２３での制御のもと、チャネル管理部１２２が、各無線フレーム毎に上り回線通信及び下り回線通信に対するタイムスロットの割当てを行なうと共に、通信トラフィック等に基づいて上り回線通信に使用される各タイムスロットに対する移動機の割当てを行なっている。制御部１２４は、ネットワーク１４０からの移動機２００宛ての信号の転送制御を行うとと共に、上記DCA管理部１２１の制御を行う。
【００４１】
また、DCA管理部１２１は、チャネル管理部１２２にて上記移動機２００と共にタイムスロットに割当てられる他の移動機にて使用される拡散符号の総数（多重度）の変化量（増加量または減少量）に基づいて補正情報βを生成する。この補正情報βは、その変化分に伴って推定される上記タイムスロットでの移動機２００の通信に対する干渉量の変化分を表すパラメータとなる。また、DCA管理部１２１は、基地局１００から供給される上記干渉量ＩBTSと上記補正情報βに基づいて補正済み干渉量（ＩBTS＋β）を生成する。このDCA管理部１２１にて生成された補正済み干渉量（ＩBTS＋β）は、制御部１２４での制御のもと、基地局１００に供給され、更に、基地局１００から移動機２００に報知される。
【００４２】
上記のような移動通信システムにおいて、移動機２００での送信電力の制御は、例えば、図５に示すようになされる。
【００４３】
図５は、前述した図６と同様に、複数のタイムスロット#0、#1、#2、…に分割された各無線フレームＦ#0、Ｆ#1、Ｆ#2、…において上り回線通信に使用されるタイムスロット#1に割当てられた移動機２００の送信電力Ｐの制御状態と、当該移動機２００の通信に対する基地局１００での干渉量ＩBTSの状態を示す。
【００４４】
無線フレームＦ#0のタイムスロット#1において移動機２００の送信電力がＰ0に制御され、移動機２００から基地局１００に対する上り回線通信が、例えば、基地局１００から指定される所定の拡散符号を用いてなされる。この際に、基地局１００は、当該移動機２００の通信に対する干渉量ＩBTS1を測定する。その後、時刻ｔ11で、他の移動機から通信の割り当て要求がなされると、その要求が基地局１００を介して無線制御装置１２０に転送される。その要求を受信した無線制御装置１２０では、各タイムスロットに対する移動機の割当て状況に基づいてDCA管理部１２１が当該要求を行なった移動機が割当てられるべきタイムスロットを決定する。その要求を行なった移動機の割当てられるべきタイムスロットが、例えば、タイムスロット#1に決定される（時刻ｔ12）。
【００４５】
当該他の移動機のタイムスロット#1への割当てが決定されると、DCA管理部１２１は、移動機２００が既に割当てられているタイムスロット#1に対する移動機の割当て数が増加したことを判定し、その新たに割当てられた移動機が使用する拡散符号の数（その数が１であれば、「１」）に基づいて補正情報βを生成する。基地局１００は、上記のように測定された移動機２００の通信に対する干渉量ＩBTS1を無線制御装置１２０に通知し、無線制御装置１２０のDCA管理部１２１にて補正済み干渉量（ＩBTS1＋β）が生成される。この補正済み干渉量（ＩBTS1＋β）は、無線制御装置１２０から基地局１００に供給され、更に、基地局１００から所定の制御チャネルにて移動機２００に通知される（時刻ｔ13）。
【００４６】
この時点で、上記のようにタイムスロット#1への割当てが決定された他の移動機は実際に通信を行っていないが、そのタイムスロット#1に割当てられた移動機の当該タイムスロット#1での通信の多重度の増分から推定される干渉量の増分を考慮した補正済み干渉量（ＩBTS1＋β）を移動機２００が取得することができる。
【００４７】
移動機２００の制御部２０３は、上記のように通知された補正済み干渉量（ＩBTS＋β）と、例えば、パイロット信号の受信レベルに基づいて算出された伝搬損失Ｌに基づいて送信電力の値（送信電力制御情報）を決定する。そして、次の無線フレームＦ#1のタイムスロット#1において、制御部２０３は、送受信無線部２０１での送信電力を上記のように決定された値Ｐ1に制御し、移動機２００から基地局１００に対する上り回線通信がなされる。
【００４８】
無線フレームＦ#1のタイムスロット#1では、上述したように当該タイムスロット#1への割当てが決定された上記他の移動機も基地局１００に対する通信を開始する。その結果、タイムスロット#1における当該移動機２００の通信に対する干渉量は、上記他の移動機の通信によって上記のように測定された干渉量ＩBTS1より大きくなる。しかし、移動機２００の送信電力は、その測定された干渉量ＩBTS1と上記補正情報βに基づいて得られた補正済み干渉量（ＩBTS1＋β）に基づいて制御されることから、従来のように単に基地局１００での干渉量ＩBTS1に基づいて制御される送信電力の値より大きな値Ｐ1に制御される。従って、無線フレームＦ#1のタイムスロット#1での上記他の移動機の通信による干渉があっても、当該タイムスロット#1における移動機２００からの信号の基地局１００での受信品質の劣化は極力小さいなものとなる。
【００４９】
上記無線フレームＦ#1のタイムスロット#1において移動機２００から基地局１００に対する上り回線通信に際して、基地局１００は、その移動機２００の通信に対する干渉量ＩBTS2を測定する。この時点で、上記のようにタイムスロット#1に割当てられた他の移動機は通信を行っているので、この測定された干渉量ＩBTS2には、当該他の移動機の通信の影響が含まれている。また、上記のようにタイムスロット#1に他の移動機が割り当てられた（時刻ｔ12）後、当該タイムスロット#1への新たな移動機の割当てはなく、DCA管理部１２１は、タイムスロット#1に割当てられる移動機の数は変化していないと判定し、補正情報の生成は行なわない。その結果、上記タイムスロット#1の後、所定のタイミングｔ2において、上記のように測定された干渉量ＩBTS2が基地局１００から移動機２００に所定の制御チャネルにて通知される。
【００５０】
移動機２００は、この報知される干渉量ＩBTS2を受信すると、従来の方法と同様に、その受信した干渉量ＩBTS2と、当該移動機２００にて算出された伝搬損失Ｌに基づいて送信電力の値を決定する。そして、次の無線フレームＦ#2のタイムスロット#1において当該移動機２００の送信電力がその決定された値Ｐ2に制御され、移動機２００から基地局１００に対する上り回線通信がなされる。
【００５１】
上述したように、移動機２００の送信電力が基地局１００での干渉量に応じて制御されると共に、その移動機２００が割当てられたタイムスロット#1に他の移動機が割り当てられた場合には、更に、そのタイムスロット#1に割当てられる移動機による当該タイムスロット#1での通信の多重度の増分に対応した補正情報βを考慮して当該移動機２００の送信電力の制御がなされる。従って、移動機２００が使用するタイムスロット#1に対して他の移動機の割当てが決定された直後において、当該移動機２００の上り回線通信の品質が一時的に劣化することを防止できるようになる。
【００５２】
また、上記のように移動機２００が無線フレームＦ#2のタイムスロット#1で送信電力Ｐ2に制御されつつ通信を行なう際に、その通信に対する干渉量ＩBTS3が基地局１００にて測定される。その後、タイムスロット#1に割当てられた他の移動機の通信が終了すると、無線制御装置１２０では、DCA管理部１２１が当該他の移動機のタイムスロット#1への割当てを解消する。すると、DCA管理部１２１は、移動機２００が既に割当てられているタイムスロット#1に対する移動機の割当て数が減少し、当該タイムスロットでの他の移動機による通信の多重度が減少したと判定し、その減少分に対応した補正情報β（負の値）を生成する。基地局１００は、上記のように測定された移動機２００の通信に対する干渉量ＩBTS3を無線制御装置１２０に通知し、無線制御装置１２０のＤＣＡ管理部１２１にて補正済み干渉量（ＩBTS3＋β）が生成される。この補正済み干渉量（ＩBTS3＋β）は、前述した処理と同様に、無線制御装置１２０から基地局１００に供給され、更に、基地局１００から移動機１００に通知される。
【００５３】
その後、移動機２００の制御部２０３は、上記のように通知された補正済み干渉量（ＩBTS3＋β）と、自機で測定された伝搬損失Ｌに基づいて送信電力の値（送信電力制御情報）を決定する。そして、次の無線フレームＦ#3（図示略）のタイムスロット#1において、制御部２０３は、送受信無線部２０１での送信電力を上記のように決定された値に制御し、移動機２００から基地局１００に対する上り回線通信がなされる。
【００５４】
無線フレームＦ#3のタイムスロット#1では、上述したように当該タイムスロットＦ#1の割当てが解消された上記他の移動機は通信を行わない。その結果、タイムスロット#1における当該移動機２００の通信に対する干渉量は、上記他の移動機の通信停止により上記のように測定された干渉量ＩBTS3より小さくなる。しかし、移動機２００の送信電力は、その測定されたＩBTS3と上記補正情報β（負の値）に基づいて得られた補正済み干渉量（ＩBTS3＋β）に基づいて制御される。即ち、従来のように単に基地局での干渉量ＩBTS3に基づいて制御される送信電力値より小さい値に制御される。従って、無線フレームＦ#3のタイムスロット#1において、当該タイムスロット#1に割当てられた更に他の移動機の通信に対して与える当該移動機２００の通信に起因した干渉量は比較的小さくなる。
【００５５】
なお、上記例では、無線制御装置１２０にて算出された補正情報βと干渉量ＩBTSとに基づいて算出される補正済み干渉量（ＩBTS＋β）を移動機２００に通知し、移動機２００にてその補正済み干渉量（ＩBTS＋β）に基づいて送信電力制御を行うようにしているが、上記測定された干渉量ＩBTSと補正情報βとを別個に基地局１００から移動機２００に通知するようにしてもよい。この場合、移動機２００は、その干渉量ＩBTS、補正情報β及び伝搬損失Ｌに基づいて送信電力の値を決定し、送信電力をその決定された値に制御する。
【００５６】
また、上記干渉量ＩBTSと共に、上記補正情報βに代えて当該移動機２００が割当てられたタイムスロットに割当てられる移動機の数の増加分そのものを移動機２００に通知するようにしてもよい。この場合、移動機は、その干渉量ＩBTS、増加分及び伝搬損失Ｌに基づいて送信電力の値を決定し、送信電力をその決定された値に制御する。
【００５７】
更に、無線制御装置１２０にて生成された補正情報βを基地局１００に通知し、上記補正済み干渉量（ＩBTS＋β）を基地局１００で生成することもできる。
【００５８】
また、上記例では、移動機２００が割当てられたタイムスロット#1に割当てられる他の移動機の通信に使用される拡散符号の数に基づいて多重度の変動分を表したが、殆どの場合、移動機による通信が単一の拡散符号を用いてなされるのであれば、特に拡散符号の数を考慮せずに、当該タイムスロット#1に割当てることが決定された移動機の数の変動分にてその多重度を表すようにしてもよい。
【００５９】
上記例において、無線制御装置１２０において各タイムスロットに対する移動機の割当て等を行なうDCA管理部１２１の一部機能は、補正情報生成手段及び補正済み干渉量生成手段に対応する。
【００６０】
【発明の効果】
以上、説明したように、請求項１乃至６記載の本願発明によれば、移動機が使用するタイムスロットに割当てることが決められた他の移動機による当該タイムスロットでの通信の多重度が変化した場合に、当該移動機においてその多重度の変化分を考慮した送信電力が行われるようになるので、当該移動機の上り回線通信における送信電力制御をより的確にできるようになる。
【図面の簡単な説明】
【図１】本発明の実施の一形態に係る送信電力制御方法が適用される移動通信システムの構成例を示す図である。
【図２】図１に示す移動通信システムにおける移動機の構成例を示すブロック図である。
【図３】図１に示す移動通信システムにおける基地局の構成例を示すブロック図である。
【図４】図１に示す移動通信システムにおける無線制御装置の構成例を示すブロック図である。
【図５】図１に示す移動通信システムにおける移動機での送信電力の状態と干渉量ＩBTSの状態とを示す図である。
【図６】従来の送信電力制御方法に従って制御される移動機での送信電力の状態と干渉量ＩBTSの状態とを示す図である。
【符号の説明】
１００  基地局
１１０  送受信無線部
１１１  送信増幅器
１１２  受信増幅部
１１３  変復調処理部
１１４  制御部
１２０  無線制御装置
１４０  ネットワーク
２００  移動機
２０１  送受信無線部
２０２  信号処理部
２０３  制御部
【図１】
0003811377.tif 000002
【図２】
0003811377.tif 000003
【図３】
0003811377.tif 000004
【図４】
0003811377.tif 000005
【図５】
0003811377.tif 000006
【図６】
0003811377.tif 000007